(57)【特許請求の範囲】
【請求項１】
端末の壁紙の制御方法であって、タッチスクリーンが設けられた端末に適用され、
前記端末が前記タッチスクリーン上のフリック操作を検出し、かつ、前記フリック操作が事前設定条件を満たすときに、前記端末が前記フリック操作に対応して、前記タッチスクリーン上に表示される壁紙内のＮ％の領域の表示内容を変更する段階であって、前記Ｎ％の領域を除く、前記壁紙内の別の領域の表示内容は、未変更のままであり、Ｎは１に等しいか１より大きく、１００より小さい整数の範囲のランダムな値である、段階と、
前記端末が前記フリック操作の停止を検出したときに、前記壁紙の表示内容を変更することを停止し、変更されたＮ％の領域、及び、未変更のままである１００−Ｎ％の領域を提示する段階と
を備える、方法。
【請求項２】
前記端末が、前記フリック操作に対応して、前記タッチスクリーン上に表示される壁紙内のＮ％の領域の表示内容を変更する段階は、同一の前記事前設定条件を満たす個々のフリック操作に対応して、１に等しいか１より大きく１００より小さい整数の範囲のランダムなＮの値を有する、前記Ｎ％の領域の前期表示内容に異なる変更をする段階を有する、請求項１に記載の方法。
【請求項３】
前記端末が、前記フリック操作に対応して、前記タッチスクリーン上に表示される壁紙内のＮ％の領域の表示内容を変更する段階は、１のフリック操作に対応して、前記壁紙内の相互に不連続な複数の領域における、それぞれの部分的な領域を変更する段階を有する、請求項１または２に記載の方法。
【請求項４】
前記端末が、前記フリック操作に対応して、前記タッチスクリーン上に表示される壁紙内のＮ％の領域の表示内容を変更する段階は、前記端末が、前記壁紙を別の壁紙へランダムに変更する段階を有する、請求項１から３のいずれか一項に記載の方法。
【請求項５】
前記端末が、前記フリック操作に対応して、前記タッチスクリーン上に表示される壁紙内のＮ％の領域の表示内容をランダムに変更する段階は、
前記端末が、前記壁紙をランダムな新しい壁紙へ変更する段階と、
新たに動的表示パターンを前記新しい壁紙へ追加する段階と
を有する、請求項１から３のいずれか一項に記載の方法。
【請求項６】
前記端末が、前記フリック操作に対応して、前記タッチスクリーン上に表示される壁紙内のＮ％の領域の表示内容を変更する段階は、
前記端末が、前記Ｎ％の領域のパラメータである、形状、色、サイズ、又は位置のうちの少なくとも１つをランダムに変更する段階と、
前記Ｎ％の領域の動的変更のプロセスを表示する段階と
を有する、請求項１から３のいずれか一項に記載の方法。
【請求項７】
前記端末が、前記フリック操作に対応して、前記タッチスクリーン上に表示される壁紙内のＮ％の領域の表示内容を変更する段階は、
前記端末が、前記Ｎ％の領域のパラメータである、形状、色、サイズ、又は位置のうちの少なくとも１つをランダムに変更する段階と、
前記Ｎ％の領域の動的変更のプロセスを表示する段階と、
新たに動的表示パターンを前記壁紙へ追加する段階と、
を有する、請求項１から３のいずれか一項に記載の方法。
【請求項８】
タッチスクリーンが設けられた端末であって、
検出部及び表示制御部を備え、
前記検出部は、前記タッチスクリーン上にフリック操作が存在するかどうかを検出し、前記フリック操作を検出したときに、前記フリック操作が事前設定条件を満たすかどうか判定し、
前記表示制御部は、前記検出部が前記タッチスクリーン上の前記フリック操作を検出し、かつ、前記フリック操作が前記事前設定条件を満たすときに、前記フリック操作に対応して、前記タッチスクリーン上に表示される壁紙内のＮ％の領域の表示内容を変更し、前記Ｎ％の領域を除く、前記壁紙内の別の領域の表示内容は、未変更のままであり、Ｎは１に等しいか１より大きく、１００より小さい整数の範囲のランダムな値であり、前記表示制御部は更に、前記検出部が前記フリック操作の停止を検出したときに、前記壁紙の表示内容の変更を停止し、変更されたＮ％の領域、及び、未変更のままである１００−Ｎ％の領域を提示する、
端末。
【請求項９】
前記表示制御部は、同一の前記事前設定条件を満たす個々のフリック操作に対応して、１に等しいか１より大きく１００より小さい整数の範囲のランダムなＮの値を有する、前期Ｎ％の領域の前期表示内容に異なる変更をする、請求項８に記載の端末。
【請求項１０】
前記表示制御部は、１のフリック動作によって、前記壁紙内の複数の不連続な領域において、それぞれの部分的な領域を変更する、請求項８または９に記載の端末。
【請求項１１】
前記表示制御部は、前記壁紙を別の壁紙へランダムに変更する、請求項８から１０のいずれか一項に記載の端末。
【請求項１２】
前記表示制御部は、前記壁紙をランダムな新しい壁紙へ変更すること、及び、新たに動的表示パターンを前記新しい壁紙へ追加することを行う、請求項８から１０のいずれか一項に記載の端末。
【請求項１３】
前記表示制御部は、前記Ｎ％の領域のパラメータである、形状、色、サイズ、又は位置のうちの少なくとも１つを変更すること、及び、前記Ｎ％の領域の動的変更のプロセスを表示することを行う、請求項８から１０のいずれか一項に記載の端末。
【請求項１４】
前記表示制御部は、前記Ｎ％の領域のパラメータである、形状、色、サイズ、又は位置のうちの少なくとも１つをランダムに変更すること、前記Ｎ％の領域の動的変更のプロセスを表示すること、及び、新たに動的表示パターンを前記壁紙へ追加することを行う、請求項８から１０のいずれか一項に記載の端末。
【請求項１５】
メモリ、表示部、及びプロセッサを備える端末であって、前記メモリは命令を格納し、前記命令は、前記プロセッサによって実行されるときに、前記端末に請求項１から７のいずれか一項の方法を実装させる、端末。
【発明の詳細な説明】
【技術分野】
【０００１】
本発明は通信分野に関し、具体的には、端末及び端末の壁紙の制御方法に関する。
【背景技術】
【０００２】
現在、端末によって設定されるデスクトップの静的な壁紙は通常、平面の画像である。画像は、画面と同一のサイズを有する画像であって、画面が左右にフリックされるときに未変更のままであり得るか、又は、画面より広い画像であって、画面が左右にフリックされるときに、それに従って動き得る。ユーザにとって、見える壁紙は未変更のままである。
【発明の概要】
【０００３】
本発明の実施形態は、端末及び端末の壁紙の制御方法を提供する。これは、端末によって設定される静的な壁紙に対する異なる表示効果を提示し得る。
【０００４】
上述の目的を達成するべく、本発明の実施形態において、以下の技術的解決手段が採用されている。
【０００５】
第１の態様によれば、端末の壁紙の制御方法が開示されている。この方法は、タッチスクリーンが設けられた端末に適用され、端末がタッチスクリーン上でのフリック操作を検出し、かつ、フリック操作が事前設定条件を満たすときに、端末がフリック操作に対応して、タッチスクリーン上に表示される壁紙内のランダムなＮ％の領域の表示内容を変更し、当該Ｎ％の領域を除く壁紙内の別の領域の表示内容は未変更のままであり、Ｎは１に等しいか１より大きく、１００より小さい整数である、段階と、端末がフリック操作の停止を検出したときに、壁紙の表示内容の変更を停止する段階と、変更されたＮ％の領域、及び未変更のままである１００−Ｎ％の領域を提示する段階とを備える。
【０００６】
第１の態様を参照すると、第１の態様の第１の可能な実装方式において、端末がフリック操作に対応して、タッチスクリーン上に表示される壁紙内のランダムなＮ％の領域の表示内容を変更する段階は、具体的には、端末が壁紙を別の壁紙へランダムに変更する段階を含む。
【０００７】
第１の態様を参照すると、第１の態様の第２の可能な実装方式において、端末がフリック操作に対応して、タッチスクリーン上に表示される壁紙内のランダムなＮ％の領域の表示内容を変更する段階は、具体的には、端末が、Ｎ％の領域のパラメータである、形状、色、サイズ、又は、位置のうちの少なくとも１つをランダムに変更する段階と、Ｎ％の領域の動的変更のプロセスを表示する段階とを含む。
【０００８】
第１の態様を参照すると、第１の態様の第３の可能な実装方式において、端末がフリック操作に対応して、タッチスクリーン上に表示される壁紙内のランダムなＮ％の領域の表示内容を変更する段階は、具体的には、端末が、Ｎ％の領域のパラメータである、形状、色、サイズ、又は、位置のうちの少なくとも１つをランダムに変更する段階と、Ｎ％の領域の動的変更のプロセスを表示する段階と、新たに動的表示パターンを壁紙に追加する段階とを含む。
【０００９】
第１の態様を参照すると、第１の態様の第４の可能な実装方式において、端末がフリック操作に対応して、タッチスクリーン上に表示される壁紙内のランダムなＮ％の領域の表示内容をランダムに変更する段階は、具体的には、端末が壁紙をランダムな新しい壁紙へ変更する段階と、新たに動的表示パターンを新しい壁紙へ追加する段階とを含む。
【００１０】
第２の態様によれば、端末が開示されている。当該端末はタッチスクリーンを設けられ、検出部と、表示制御部とを備え、検出部は、タッチスクリーン上にフリック操作が存在するかどうかを検出すること、及び、フリック操作を検出したときに、フリック操作が事前設定条件を満たすかどうか判定することを行うように構成され、表示制御部は、当該制御部がタッチスクリーン上のフリック操作を検出し、かつ、フリック操作が事前設定条件を満たすときに、フリック操作に対応して、タッチスクリーン上に表示される壁紙内のランダムなＮ％の領域の表示内容を変更するように構成され、Ｎ％の領域を除く、壁紙内の別の領域の表示内容は未変更のままであり、Ｎは１に等しいか１より大きく、１００より小さい整数であり、表示制御部は更に、当該検出部がフリック操作の停止を検出したときに、壁紙の表示内容の変更を停止し、変更されたＮ％の領域、及び未変更のままである１００−Ｎ％の領域を提示するように構成される。
【００１１】
第２の態様を参照すると、第２の態様の第１の可能な実装方式において、表示制御部は具体的には、壁紙を別の壁紙へランダムに変更するように構成される。
【００１２】
第２の態様を参照すると、第２の態様の第２の可能な実装方式において、表示制御部は具体的には、Ｎ％の領域のパラメータである、形状、色、サイズ、又は位置のうちの少なくとも１つを変更すること、及び、Ｎ％の領域の動的変更のプロセスを表示することを行うように構成される。
【００１３】
第２の態様を参照すると、第２の態様の第３の可能な実装方式において、表示制御部は具体的には、Ｎ％の領域のパラメータである、形状、色、サイズ、又は位置のうちの少なくとも１つをランダムに変更すること、Ｎ％の領域の動的変更のプロセスを表示すること、及び、新たに動的表示パターンを壁紙へ追加することを行うように構成される。
【００１４】
第２の態様を参照すると、第２の態様の第４の可能な実装方式において、表示制御部は具体的には、壁紙をランダムな新しい壁紙へ変更すること、及び、新たに動的表示パターンを新しい壁紙へ追加することを行うように構成される。
【００１５】
本発明において提供される、端末及び端末の壁紙の制御方法によれば、端末がタッチスクリーン上のフリック操作を検出し、かつ、フリック操作が事前設定条件を満たすとき、端末は、フリック操作に対応して、タッチスクリーン上に表示される壁紙内のランダムなＮ％の領域の表示内容を変更し、Ｎ％の領域を除く、壁紙内の別の領域の表示内容は、未変更のままである。端末がフリック操作の停止を検出したとき、壁紙の表示内容の変更は停止され、変更されたＮ％の領域、及び、未変更のままである、１００−Ｎ％の領域が提示される。このようにして、ユーザ操作に従って、異なる壁紙がユーザに提示され得て、変更される領域及び色は、ユーザが画面をフリックするたびに異なる。異なる表示効果が、端末によって設定される静的な壁紙上に提示される。
【図面の簡単な説明】
【００１６】
本発明の実施形態における、又は従来技術における技術的解決手段をより明確に説明すべく、実施形態又は従来技術を説明するために必要な添付の図面を以下で簡潔に説明する。以下の説明における添付の図面は、本発明のいくつかの実施形態を示しているに過ぎず、当業者ならば、創造努力なく、これらの添付の図面から他の図面を更に導き出し得ることは明らかである。
【００１７】
【図１】本発明の実施形態１に係る、端末の壁紙の制御方法の概略フローチャートである。
【００１８】
【図２ａ】本発明の実施形態１に係る、変更前の端末の壁紙の概略図である。
【００１９】
【図２ｂ】本発明の実施形態１に係る、壁紙変更の効果を示す図である。
【００２０】
【図２ｃ】本発明の実施形態１に係る、壁紙変更の別の効果を示す図である。
【００２１】
【図２ｄ】本発明の実施形態１に係る、壁紙変更の別の効果を示す図である。
【００２２】
【図２ｅ】本発明の実施形態１に係る、壁紙変更の別の効果を示す図である。
【００２３】
【図３】本発明の実施形態２に係る、端末の壁紙の制御方法の概略フローチャートである。
【００２４】
【図４】本発明の実施形態２に係る、壁紙変更の効果を示す図である。
【００２５】
【図５】本発明の実施形態２に係る、壁紙変更の別の効果を示す図である。
【００２６】
【図６】本発明の実施形態３に係る、端末の構造図である。
【００２７】
【図７】本発明の実施形態４に係る、端末の構造図である。
【発明を実施するための形態】
【００２８】
本発明の実施形態における添付の図面を参照して、本発明の実施形態における技術的解決手段が以下で明確かつ完全に説明される。説明される実施形態が、本発明の実施形態の一部に過ぎず、全てではないことは明らかである。創造努力なく本発明の実施形態に基づいて当業者によって取得された全ての他の実施形態は、本発明の保護範囲内に含まれるものとする。
［実施形態１］
【００２９】
本発明のこの実施形態は、端末の壁紙の制御方法を提供し、当該方法は、タッチスクリーンが設けられた端末に適用される。図１に示されているように、当該方法は以下のステップを備える。
【００３０】
１０１：端末がタッチスクリーン上のフリック操作を検出し、かつ、フリック操作が事前設定条件を満たすとき、端末は、フリック操作に対応して、タッチスクリーン上に表示される壁紙内のランダムなＮ％の領域の表示内容を変更し、Ｎ％の領域を除く、壁紙内の別の領域の表示内容は、未変更のままであり、Ｎは１に等しいか１より大きく、１００より小さいか１００に等しい整数である。
【００３１】
フリック操作は、ポイント・アンド・クリックのオブジェクトによって、端末画面上で発生する操作である。ポイント・アンド・クリックのオブジェクトは、ユーザの指であり得るか、又は、端末と共に提供されるスタイラスであり得るが、本明細書ではこれらに限定しない。フリック操作が事前設定条件を満たすことは、フリック操作によって発生するフリックの変位について判定すること、及び、フリックの変位が事前設定条件を満たすかどうか判定することによって実行されることであり得ることに留意すべきである。変位はベクトルであり、すなわち、大きさと方向を有し、変位の方向は、始点から終点を指す。ここで、フリックの変位の方向は、ユーザがタッチスクリーンをフリックする方向なので、フリックの変位の始点は、ポイント・アンド・クリックのオブジェクトのこのフリック操作の始点であり、終点は、タッチスクリーン上でのポイント・アンド・クリックのオブジェクトの現在のタッチポイント、又は、タッチスクリーン上でのユーザのタッチポイントである。タッチスクリーン上でのポイント・アンド・クリックのオブジェクトのフリックの変位は、リアルタイムで取得される必要があるので、フリックの変位の終点は、ポイント・アンド・クリックのオブジェクトの現在のタッチポイントである。このようにして、ユーザのフリックの変位が事前設定条件を満たすとき（例えば、変位が事前設定閾値より大きいとき）、壁紙はポイント・アンド・クリックのオブジェクトのフリック操作によって変化し得る。
【００３２】
端末がフリック操作に対応して、タッチスクリーン上に表示される壁紙内のランダムなＮ％の領域の表示内容を変更することは、具体的には、以下の複数の実装方式を含むことに留意すべきである。
【００３３】
１．壁紙を新しい壁紙へ変更する。新しい壁紙は、壁紙（現在の壁紙）と比較して、異なるＮ％の領域を有する。
【００３４】
２．端末は、Ｎ％の領域のパラメータである、形状、色、サイズ、又は位置のうちの少なくとも１つをランダムに変更し、Ｎ％の領域の動的変更のプロセスを表示する。
【００３５】
例として、ユーザがポイント・アンド・クリックのオブジェクトを使用してタッチスクリーンをフリックするときに発生するフリックの変位が事前設定条件を満たすとき、壁紙内のＮ％のサブ領域における古い要素は、新しい要素に置き換えられ、剥落（ｃｈｉｐｐｉｎｇ ）、落下（ｆａｌｌｉｎｇ ）、又は漂流（ｄｒｉｆｔｉｎｇ）などの、動的変更のプロセスが表示される。
【００３６】
図２ａに示されているように、長方形ＡＢＣＤは、その面積が端末の壁紙のＮ％である領域である。長方形ＡＢＣＤの色は、検出されたフリック操作に従って変更され得る。フリック操作の停止が検出されるとき、図２ｂに示すように、壁紙の表示内容は、色が変更された長方形ＡＢＣＤである。当然、長方形ＡＢＣＤの形状は、検出されるフリック操作に従って変更され得る。フリック操作の停止が検出されるとき、図２ｃに示すように、壁紙の表示内容は円である。あるいは、長方形ＡＢＣＤのサイズは、検出されたフリック操作に従って変更され得る。フリック操作の停止が検出されるとき、図２ｄに示すように、壁紙の表示内容は、サイズが変更された長方形ＡＢＣＤである。あるいは、長方形ＡＢＣＤの位置は、検出されたフリック操作に従って変更され得る。フリック操作の停止が検出されるとき、図２ｅに示すように、壁紙の表示内容は、位置が変更された長方形ＡＢＣＤである。
【００３７】
３．端末は、Ｎ％の領域のパラメータである、形状、色、サイズ、又は位置のうちの少なくとも１つをランダムに変更し、Ｎ％の領域の動的変更のプロセスを表示し、新たに動的表示パターンを壁紙へ追加する。
【００３８】
新たに動的表示パターンを壁紙へ追加することは、点滅する星、又は飛行する蝶などの動的アイコンを追加することであり得る。
【００３９】
４．端末は壁紙をランダムな新しい壁紙へ変更し、新たに動的表示パターンを新しい壁紙へ追加する。
【００４０】
更に、フリック操作によって発生するフリックの変位はベクトルなので、事前設定条件は、方向が事前設定条件Ａを満たし、変位の絶対値が事前設定条件Ｂを満たすことであり得る。例えば、方向は右の方（完全な真右方向ではない）を向き、変位の絶対値は事前設定値（画面幅のｘ％であり得る）より大きい。又は、方向は左の方を向き、変位の絶対値は事前設定値（画面幅のｘ％であり得る）より大きい。このようにして、ユーザはポイント・アンド・クリックのオブジェクトを使用して異なるフリック操作を実行し、異なる変更が壁紙内で発生する。リセットされる色もランダムである。当然、事前設定条件は、特別な意味を有する。フリック操作が、事前設定条件において指定される事前設定値を満たさないとき、このフリック操作は、実際の操作を実行することによって端末の画面がフリックされるときに発生するフリック操作ではなく、画面上でのユーザの不注意なタッチによって発生したものであると見なされ得る。
【００４１】
１０２：端末がフリック操作の停止を検出したとき、端末は壁紙の表示内容の変更を停止し、変更されたＮ％の領域と、未変更のままである１００−Ｎ％の領域とを提示する。
【００４２】
端末がフリック操作の停止を検出したとき、端末上で提示される壁紙は、ステップ１０１における、変更されたＮ％の領域と、未変更の１００−Ｎ％の領域とを組み合わせた効果である。これらは、図２ａから図２ｅに示される効果のいずれか１つであり得る。
【００４３】
本発明において提供される端末の壁紙の制御方法によれば、端末がタッチスクリーン上のフリック操作を検出し、フリック操作が事前設定条件を満たすとき、端末は、フリック操作に対応して、タッチスクリーン上に表示される壁紙内のランダムなＮ％の領域の表示内容を変更する。Ｎ％の領域を除く、壁紙内の別の領域の表示内容は、未変更のままである。端末がフリック操作の停止を検出したとき、壁紙の表示内容の変更が停止され、変更されたＮ％の領域、及び、未変更のままである１００−Ｎ％の領域が提示される。このようにして、ユーザ操作に従って、異なる壁紙がユーザに提示され得て、変更される領域及び色は、ユーザが画面をフリックするたびに異なる。異なる表示効果が、端末によって設定される静的な壁紙上に提示される。
［実施形態２］
【００４４】
本発明のこの実施形態は、端末の壁紙の制御方法を提供し、当該方法は、タッチスクリーンが設けられた端末に適用される。本実施形態において、壁紙内のランダムなＮ％の領域の色を変更するための方法が説明される。図３において示されるように、方法は、以下のステップを含む。
【００４５】
２０１：端末がタッチスクリーン上のフリック操作を検出し、かつ、フリック操作が事前設定条件を満たすとき、端末は、フリック操作に対応して、壁紙内のＭ個の独立した領域の色を設定する。Ｍは１より大きいか、１に等しい整数であり、Ｍ個の独立した領域は、縦方向に分布し、相互に不連続である。
【００４６】
具体的には、図４は、ステップ２０１が一度実行された後に壁紙上で表示される効果を示す。
【００４７】
２０２：フリックが停止するまでステップ２０１を繰り返し実行する。第ｉの設定の第ｊの独立した領域、及び、第（ｉ−１）の設定の第ｊの独立した領域は連続し、ｊ∈［１，Ｍ］である。
【００４８】
具体的には、壁紙の効果を変更することは、図５に示され得る。壁紙において、（ステップ２０１を繰り返し実行することによって設定される複数の独立した領域によって構成される）Ｎ％のサブ領域内の古い要素は、新しい要素に置き換えられ、剥落、落下、又は、漂流などの動的変更のプロセスが表示される。
【００４９】
壁紙のＮ％の区画は、連続して設定され得ることに留意すべきである（壁紙の設定の間の時間間隔は比較的短い）。各壁紙における部分的な領域の色は、リセットされ、図５に表示されているのと同一の効果は、Ｘ個の壁紙を連続して設定することによって達成される。
【００５０】
更に、本発明の好ましい実施形態において、タッチスクリーン上に表示される壁紙内のランダムなＮ％の領域の表示内容が変更される前に、方法は更に、Ｎの値をリセットすることを含む。
【００５１】
このようにして、ユーザが画面をフリックした後は毎回、壁紙内の変更される領域のサイズは異なり、多様な壁紙がユーザに提示される。
【００５２】
本発明に提供される端末の壁紙の制御方法によれば、端末がタッチスクリーン上でのフリック操作を検出し、かつ、フリック操作が事前設定条件を満たすとき、端末は、フリック操作に対応して、タッチスクリーン上に表示される壁紙内のランダムなＮ％の領域の表示内容を変更し、Ｎ％の領域を除く、壁紙内の別の領域の表示内容は、未変更のままである。端末がフリック操作の停止を検出したとき、壁紙の表示内容の変更が停止され、変更されたＮ％の領域と、未変更のままである１００−Ｎ％の領域が提示される。このようにして、異なる壁紙が、ユーザ操作に従ってユーザに提示され得て、変更される領域及び色は、ユーザが画面をフリックするたびに異なる。端末によって設定される静的な壁紙上に異なる表示効果が提示される。
［実施形態３］
【００５３】
本発明のこの実施形態は、端末を提供する。当該端末にはタッチスクリーンが設けられる。図６に示されているように、端末は、検出部３０１及び表示制御部３０２を含む。
【００５４】
検出部３０１は、タッチスクリーン上にフリック操作が出るかどうか検出するように、及び、フリック操作を検出したときに、フリック操作が事前設定条件を満たすかどうか判定するように構成される。
【００５５】
表示制御部３０２は、検出部がタッチスクリーン上のフリック操作を検出し、かつ、フリック操作が事前設定条件を満たすとき、フリック操作に対応して、タッチスクリーン上に表示される壁紙内のランダムなＮ％の領域の表示内容を変更するように構成され、Ｎ％の領域を除く、壁紙内の別の領域の表示内容は、未変更のままであり、Ｎは１に等しいか、１より大きく、１００より小さいか、１００に等しい整数である。
【００５６】
表示制御部３０２は更に、検出部３０１がフリック操作の停止を検出したときに、壁紙の表示内容の変更を停止し、変更されたＮ％の領域及び未変更のままである１００−Ｎ％の領域を提示するように構成される。
【００５７】
表示制御部３０２は具体的には、壁紙を別の壁紙へランダムに変更するよう構成される。
【００５８】
表示制御部３０２は具体的には、Ｎ％の領域のパラメータである、形状、色、サイズ、又は位置のうちの少なくとも１つを変更するように、及び、Ｎ％の領域の動的変更のプロセスを表示するように構成される。
【００５９】
表示制御部３０２は具体的には、Ｎ％の領域のパラメータである、形状、色、サイズ、又は位置のうちの少なくとも１つをランダムに変更すること、Ｎ％の領域における動的変更のプロセスを表示すること、及び、新たに動的表示パターンを壁紙へ追加することを行うように構成される。
【００６０】
表示制御部３０２は具体的には、壁紙をランダムな新しい壁紙へ変更すること、及び、新たに動的表示パターンを新しい壁紙へ追加することを行うように構成される。
【００６１】
本発明において提供される端末の壁紙の端末によれば、端末がタッチスクリーン上でのフリック操作を検出し、かつ、フリック操作が事前設定条件を満たすとき、端末はフリック操作に対応して、タッチスクリーン上に表示される壁紙内のランダムなＮ％の領域の表示内容を変更し、Ｎ％の領域を除く、壁紙内の別の領域の表示内容は、未変更のままである。端末がフリック操作の停止を検出したとき、壁紙の表示内容の変更は停止され、変更されたＮ％の領域と、未変更のままである１００−Ｎ％の領域とが提示される。このようにして、異なる壁紙が、ユーザ操作に従ってユーザに提示され得て、変更される領域及び色は、ユーザが画面をフリックするたびに異なる。異なる表示効果が、端末によって設定される静的な壁紙上に提示される。
［実施形態４］
【００６２】
本発明のこの実施形態は、端末４０を提供する。当該端末にはタッチスクリーンが設けられる。図７は、本発明のこの実施形態において提供されるモバイル端末の概略的な構造図を示す。本発明のこの実施形態において提供されるモバイル端末は、図１及び図３において示される、本発明の実施形態において実装される方法を実装するように構成され得る。説明を分かり易くするべく、本発明のこの実施形態に関連する部分のみが示されている。開示されていない具体的な技術的詳細については、図１及び図３において示される本発明の実施形態を参照のこと。
【００６３】
モバイル端末は、携帯電話、タブレットコンピュータ、ノートブックコンピュータ、ＵＭＰＣ（Ｕｌｔｒａ−ｍｏｂｉｌｅ  Ｐｅｒｓｏｎａｌ  Ｃｏｍｐｕｔｅｒ、ウルトラモバイルパーソナルコンピュータ）、ネットブック、又は、ＰＤＡ（Ｐｅｒｓｏｎａｌ  Ｄｉｇｉｔａｌ  Ａｓｓｉｓｔａｎｔ、携帯情報端末）などの端末デバイスであり得る。
【００６４】
図７に示されているように、端末４０は、メモリ４０１、表示部４０２、及び、プロセッサ４０３を含む。当業者であれば、図７に示されている携帯電話の構造は、携帯電話に対するいかなる制限も構成しないこと、及び、携帯電話は、図７に示されているものより多い、若しくは、より少ない部品、いくつかの部品の組み合わせ、又は、異なる部品配置を含み得ることを理解し得る。
【００６５】
以下では、図７を参照しながら、端末４０の各一体部品を詳細に説明する。
【００６６】
メモリ４０１は、ソフトウェアプログラム及びモジュールを格納するように構成され得て、プロセッサ４０３は、メモリ４０１内に格納されたソフトウェアプログラム及びモジュールを作動することによって、端末４０の様々な機能性アプリケーション（ｆｕｎｃｔｉｏｎａｌ  ａｐｐｌｉｃａｔｉｏｎｓ）及びデータ処理を実行するように構成され得る。メモリ４０１は主に、プログラム記憶領域及びデータ記憶領域を含み得て、プログラム記憶領域は、オペレーティングシステム、及び、少なくとも１つの機能（オーディオ再生機能及びビデオ再生機能など）が必要とするアプリケーションプログラムなどを格納し得て、データ記憶領域は、端末４０の使用などに従って作成されるデータ（オーディオデータ、ビデオデータ、電話帳など）を格納し得る。更に、メモリ４０１は、高速ランダムアクセスメモリを含み得て、更に、少なくとも１つの磁気ディスクストレージコンポーネント、フラッシュメモリコンポーネント、又は、別の不揮発性ソリッドステートストレージコンポーネントなどの不揮発性メモリを含み得る。
【００６７】
表示部４０２は、ユーザによって入力される情報、又は、ユーザに提供される情報、及び、端末４０の様々なメニューを表示するように構成され得る。表示部４０２は、表示パネル４０２１を含み得て、任意で、表示パネル４０２１は、ＬＣＤ（Ｌｉｑｕｉｄ  Ｃｒｙｓｔａｌ  Ｄｉｓｐｌａｙ、液晶ディスプレイ）及びＯＬＥＤ（Ｏｒｇａｎｉｃ  Ｌｉｇｈｔ−Ｅｍｉｔｔｉｎｇ  Ｄｉｏｄｅ、有機発光ダイオード）などの形態で構成され得る。更に、タッチスクリーン４０２２は、表示パネル４０２１を包含し得る。タッチスクリーン４０２２がタッチスクリーンの上又は付近のタッチ操作を検出するとき、タッチスクリーンは、タッチイベントの種類を判定するべく、タッチ操作をプロセッサ４０３へ送信し、次に、プロセッサ４０３は、タッチイベントの種類に従って、対応する視覚的出力を表示パネル４０２１上に提供する。図７において、タッチスクリーン４０２２及び表示パネル４０２１は、端末の入力機能及び出力機能を実装するべく、２つの独立した部品として使用される。しかしながら、いくつかの実施形態において、タッチスクリーン４０２２及び表示パネル４０２１は、携帯電話３００の入力機能及び出力機能を実装するべく統合され得る。
【００６８】
プロセッサ４０３は、端末４０の制御中枢であり、様々なインタフェース及びケーブルを用いて、携帯電話全体の様々な部品に接続される。プロセッサ４０３は、メモリ４０１内に格納されるソフトウェアプログラム及び／又はモジュールを作動又は実行することによって、並びに、メモリ３３０内に格納されたデータを呼び出すことによって、端末４０の様々な機能及びデータ処理を実行し、それにより、携帯電話に対する全体的なモニタリングを実行する。任意で、プロセッサ４０３は、１つ又は複数の処理部を含み得る。好ましくは、アプリケーションプロセッサ、並びに、変調及び復調プロセッサは、プロセッサ４０３へ統合され得て、アプリケーションプロセッサは主に、オペレーティングシステム、ユーザインタフェース、及びアプリケーションプログラムなどを処理する。変調及び復調プロセッサは主に、無線通信を処理する。上述の変調及び復調プロセッサは、いずれかがプロセッサ４０３へ統合されなくてもよいことが理解され得る。
【００６９】
タッチスクリーン４０２２は、タッチスクリーン上でフリック操作が存在するかどうかを検出するように構成される。
【００７０】
タッチスクリーン４０２２がフリック操作を検出したとき、プロセッサ４０３は、フリック操作が事前設定条件を満たすかどうかを判定するように構成される。
【００７１】
プロセッサ４０３は更に、タッチスクリーン４０２２上でフリック操作が検出され、かつ、フリック操作が事前設定条件を満たすとき、コマンドを表示部４０２へ送信し、これにより、表示部４０２は、フリック操作に対応して、表示パネル４０２１上に表示される壁紙内のランダムなＮ％の領域の表示内容を変更するように構成され、Ｎ％の領域を除く壁紙内の別の領域の表示内容は、未変更のままであり、Ｎは１に等しいか、１より大きく、１００より小さいか、１００に等しい整数である。
【００７２】
プロセッサ４０３は更に、フリック操作の停止が検出されるとき、コマンドを表示部４０２へ送信し、これにより、表示部４０２は壁紙の表示内容の変更を停止し、変更されたＮ％の領域及び未変更のままの１００−Ｎ％の領域を提示するように構成される。
【００７３】
プロセッサ４０３は具体的には、壁紙を別の壁紙へランダムに変更するように構成される。
【００７４】
プロセッサ４０３は具体的には、コマンドを表示部４０２へ送信し、これにより、表示部４０２が、Ｎ％の領域のパラメータである、形状、色、サイズ、又は位置のうちの少なくとも１つを変更すること、及び、Ｎ％の領域の動的変更のプロセスを表示することを行うように構成される。
【００７５】
プロセッサ４０３は、具体的には、コマンドを表示部４０２へ送信し、これにより、表示部４０２は、Ｎ％の領域のパラメータである、形状、色、サイズ、又は位置のうちの少なくとも１つをランダムに変更すること、Ｎ％の領域の動的変更のプロセスを表示すること、並びに、新たに動的表示パターンを壁紙へ追加することを行うように構成される。
【００７６】
プロセッサ４０３は具体的には、コマンドを表示部４０２へ送信し、これにより、表示部４０２は、壁紙をランダムな新しい壁紙へ変更すること、及び、新たに動的表示パターンを新しい壁紙へ追加することを行うように構成される。
【００７７】
本発明において提供される端末の壁紙の端末によれば、端末がタッチスクリーン上でのフリック操作を検出し、かつ、フリック操作が事前設定条件を満たすとき、端末はフリック操作に対応して、タッチスクリーン上に表示される壁紙内のランダムなＮ％の領域の表示内容を変更し、Ｎ％の領域を除く壁紙内の別の領域の表示内容は未変更のままである。端末がフリック操作の停止を検出したとき、壁紙の表示内容の変更は停止され、変更されたＮ％の領域及び未変更のままである１００−Ｎ％の領域が提示される。このようにして、ユーザ操作に従って、異なる壁紙がユーザに提示され得て、変更された領域及び色は、ユーザが画面をフリックするたびに異なる。異なる表示効果が、端末によって設定される静的な壁紙上に提示される。
【００７８】
上述の説明は、単に本発明の特定の実装方式に過ぎず、本発明の保護範囲を限定することを意図するものではない。本発明において開示された技術範囲内で、当業者によって容易に考え出された変更形態又は代替形態は何れも、本発明の保護範囲に含まれるものとする。従って、本発明の保護範囲は、特許請求の範囲の保護範囲に従うものとする。
［項目１］
端末の壁紙の制御方法であって、タッチスクリーンが設けられた端末に適用され、
前記端末が前記タッチスクリーン上のフリック操作を検出し、かつ、前記フリック操作が事前設定条件を満たすときに、前記端末が前記フリック操作に対応して、前記タッチスクリーン上に表示される壁紙内のランダムなＮ％の領域の表示内容を変更する段階であって、前記Ｎ％の領域を除く、前記壁紙内の別の領域の表示内容は、未変更のままであり、Ｎは１に等しいか１より大きく、１００より小さい整数である、段階と、
前記端末が前記フリック操作の停止を検出したときに、前記壁紙の表示内容を変更することを停止し、変更されたＮ％の領域、及び、未変更のままである１−Ｎ％の領域を提示する段階と
を備える、方法。
［項目２］
前記端末が、前記フリック操作に対応して、前記タッチスクリーン上に表示される壁紙内のランダムなＮ％の領域の表示内容を変更する段階は、具体的には、前記端末が、前記壁紙を別の壁紙へランダムに変更する段階を有する、項目１に記載の方法。
［項目３］
前記端末が、前記フリック操作に対応して、前記タッチスクリーン上に表示される壁紙内のランダムなＮ％の領域の表示内容を変更する段階は、
具体的には、前記端末が、前記Ｎ％の領域のパラメータである、形状、色、サイズ、又は位置のうちの少なくとも１つをランダムに変更する段階と、
前記Ｎ％の領域の動的変更のプロセスを表示する段階と
を有する、項目１に記載の方法。
［項目４］
前記端末が、前記フリック操作に対応して、前記タッチスクリーン上に表示される壁紙内のランダムなＮ％の領域の表示内容を変更する段階は、
具体的には、前記端末が、前記Ｎ％の領域のパラメータである、形状、色、サイズ、又は位置のうちの少なくとも１つをランダムに変更する段階と、
前記Ｎ％の領域の動的変更のプロセスを表示する段階と、
新たに動的表示パターンを前記壁紙へ追加する段階と、
を有する、項目１に記載の方法。
［項目５］
前記端末が、前記フリック操作に対応して、前記タッチスクリーン上に表示される壁紙内のランダムなＮ％の領域の表示内容をランダムに変更する段階は、具体的には、
前記端末が、前記壁紙をランダムな新しい壁紙へ変更する段階と、
新たに動的表示パターンを前記新しい壁紙へ追加する段階と
を有する、項目１に記載の方法。
［項目６］
タッチスクリーンが設けられた端末であって、
検出部及び表示制御部を備え、
前記検出部は、前記タッチスクリーン上にフリック操作が出るかどうかを検出し、前記フリック操作を検出したときに、前記フリック操作が事前設定条件を満たすかどうか判定するように構成され、
前記表示制御部は、前記検出部が前記タッチスクリーン上の前記フリック操作を検出し、かつ、前記フリック操作が前記事前設定条件を満たすときに、前記フリック操作に対応して、前記タッチスクリーン上に表示される壁紙内のランダムなＮ％の領域の表示内容を変更するように構成され、前記Ｎ％の領域を除く、前記壁紙内の別の領域の表示内容は、未変更のままであり、Ｎは１に等しいか１より大きく、１００より小さい整数であり、前記表示制御部は更に、前記検出部が前記フリック操作の停止を検出したときに、前記壁紙の表示内容の変更を停止するように構成され、変更されたＮ％の領域、及び、未変更のままである１−Ｎ％の領域を提示する、
端末。
［項目７］
前記表示制御部は、具体的には、前記壁紙を別の壁紙へランダムに変更するように構成される、項目６に記載の端末。
［項目８］
前記表示制御部は、具体的には、前記Ｎ％の領域のパラメータである、形状、色、サイズ、又は位置のうちの少なくとも１つを変更すること、及び、前記Ｎ％の領域の動的変更のプロセスを表示することを行うように構成される、項目６に記載の端末。
［項目９］
前記表示制御部は具体的には、前記Ｎ％の領域のパラメータである、形状、色、サイズ、又は位置のうちの少なくとも１つをランダムに変更すること、前記Ｎ％の領域の動的変更のプロセスを表示すること、及び、新たに動的表示パターンを前記壁紙へ追加することを行うように構成される、項目６に記載の端末。
［項目１０］
前記表示制御部は具体的には、前記壁紙をランダムな新しい壁紙へ変更すること、及び、新たに動的表示パターンを前記新しい壁紙へ追加することを行うように構成される、項目６に記載の端末。
【図１】
0006504725.tif 000002
【図２ａ】
0006504725.tif 000003
【図２ｂ】
0006504725.tif 000004
【図２ｃ】
0006504725.tif 000005
【図２ｄ】
0006504725.tif 000006
【図２ｅ】
0006504725.tif 000007
【図３】
0006504725.tif 000008
【図４】
0006504725.tif 000009
【図５】
0006504725.tif 000010
【図６】
0006504725.tif 000011
【図７】
0006504725.tif 000012